(57)【要約】【課題】用途・目的などに応じて、平坦状のベッドとカドラータイプのベッドに簡単に変更可能であるとともに、縁部の一部のみでも絞って立ち上げることが可能な愛玩動物用ベッドを提供する【解決手段】所定のクション性を有して形成されたマット部２と、前記マット部の外側に一体に周設され、マット部とは境界部１００を境にして別領域に形成された縁部３と、紐状に形成され、前記縁部内に所定箇所を固定して収容されるとともに、前記縁部所定位置から外方に突出して備えられる複数個の引張り操作部２０とで構成されており、前記複数個の引張り操作部は、それぞれ縁部の周方向で異なる位置にて、それぞれ独立して備えられ、その一乃至複数の引張り操作部を引張り操作することにより、所定の縁部３を絞り込んで立ち上げることができる。【選択図】図２
0003176517.tif 000002
【実用新案登録請求の範囲】
【請求項１】
所定のクション性を有して形成されたマット部と、
前記マット部の外側に一体に周設され、マット部とは境界部を境にして別領域に形成された縁部と、
紐状に形成され、前記縁部内に所定箇所を固定して収容されるとともに、前記縁部所定位置から外方に突出して備えられる複数個の引張り操作部とで構成されており、
前記複数個の引張り操作部は、それぞれ縁部の周方向で異なる位置にて、それぞれ独立して備えられ、その一乃至複数の引張り操作部を引張り操作することにより、所定の縁部のみ若しくは全ての縁部を絞り込んで立ち上げることができることを特徴とする愛玩動物用ベッド。
【請求項２】
各引張り操作部は、縁部内に収容される連続した紐部材であって、紐部材の離間した複数の所定領域をそれぞれ折り曲げるとともに、それぞれの折り曲げ領域を、縁部の所定位置に設けた各開口から外部に突出させ、かつ縁部内にて、少なくとも隣り合う開口間に位置する紐部材の所定箇所を、縁部と一体に固定したことを特徴とする請求項１に記載の愛玩動物用ベッド。
【請求項３】
各引張り操作部は、それぞれ縁部内に収容される断続した紐部材であって、紐部材の中間領域を折り曲げるとともに、その折り曲げ領域を縁部の所定位置に設けた開口から外部に突出させ、かつ各紐部材のそれぞれの両端部は、前記開口を境にして縁部内を左右に分かれて収容されるとともに、縁部内にてそれぞれの両端部が縁部と一体に固定されていることを特徴とする請求項１に記載の愛玩動物用ベッド。
【請求項４】
所定のクション性を有して平面視で矩形状に形成されたマット部と、
前記マット部の外側にて一体に周設された縁部と、
前記マット部と縁部がそれぞれ別領域となるように境界を形成する境界部と、
紐状に形成され、前記縁部内に所定箇所を固定して収容されるとともに、前記縁部所定位置から外方に突出して備えられる複数個の引張り操作部とで構成されており、
前記複数個の引張り操作部は、それぞれ縁部の周方向で異なる位置にて、それぞれ独立して備えられ、
引張り操作部は、縁部内に収容される連続した紐部材であって、紐部材の相対向する所定領域をそれぞれ折り曲げるとともに、それぞれの折り曲げ領域を、縁部の相対向する位置に設けた各開口から外部に突出させ、かつ縁部内にて、少なくとも隣り合う開口間に位置する紐部材の所定箇所を縁部と一体に固定し、
それぞれの引張り操作部を引張り操作することにより、所定の縁部若しくは全ての縁部を絞り込んで前記境界部を境にして立ち上げることができることを特徴とする愛玩動物用ベッド。
【請求項５】
引張り部材は、縁部の開口から突出した紐部材の突出部分にストッパ部を備えたことを特徴とする請求項１乃至４のいずれかに記載の愛玩動物用ベッド。
【考案の詳細な説明】
【技術分野】
【０００１】
本考案は、例えば猫や犬などの愛玩動物が休息するに適したベッドに関し、より詳しくは、愛玩動物の大きさや使用に応じてサイズや形態を変形して使用することが可能な愛玩動物用ベッドに関する。本考案は、「ベッド」という名称を付しているが、この種の製品は「マット」という名称でも使用されることがあるため、本考案では、「ベッド」という名称には「マット」という名称も含まれる概念として使用している。なお、本考案の範囲内であるか否かは、上述した名称に固執して判断されるものではなく、本考案の産業上の利用分野・解決課題・技術的手段などを総合的に考慮して社会通念・一般的常識に基づいて判断される。
【背景技術】
【０００２】
従来から、猫や犬などの愛玩動物が横になって休息できる愛玩動物用ベッド（マットともいう。）として、例えば特許文献１などに開示のベッドが知られている。
【０００３】
特許文献１に開示のベッドは、愛玩動物が寝そべることのできる円形状のマット部（クッション部）と、マット部（クッション部）の周囲を囲うように矩形状に形成され、寝そべった愛玩動物の頭部が置かれる土手状の枕部とにより、平面視で全体矩形状に構成されている。
【先行技術文献】
【特許文献】
【０００４】
【特許文献１】特開２００２−１９１２４７号公報
【考案の概要】
【考案が解決しようとする課題】
【０００５】
特許文献１に開示されている愛玩動物用ベッドにあっては、どんなときであってもその全体形状が平面視で平坦な矩形状のまま変化することがない。
ところで、愛玩動物、特に犬の場合、身体全体がベッド上に乗るように、特許文献１に開示されているような平坦状の広いベッドを使用して休むことが多い。
また、ベッドの縁部が壁状に立ち上がった、いわゆるカドラータイプのベッドが安心感を与えるということで使用されることも多い。
しかし、平坦状のベッドとカドラータイプのベッドの双方を用意するには費用が掛かるばかりか嵩張るため収納にも課題があった。特に、このようなベッドは、一般的に冬季に使用されるものであって、暖かくなる春先などからは使用されなくなるものであるため、特に収納の面で課題を抱えていたものである。
さらに、多少大きな犬などの場合、カドラータイプのベッドを使用したくても、カドラータイプでは窮屈な場合もある。カドラータイプが好まれる理由として、犬などの愛玩動物は、身体の一部だけでも何かに触れている、囲われていることによって安心感が生まれてくるということが知られている。
【０００６】
本考案は、上述した従来の問題点に鑑みなされたものであり、その目的とするところは、用途・目的などに応じて、平坦状のベッドとカドラータイプのベッドに簡単に変更可能であるとともに、縁部の一部のみでも絞って立ち上げることが可能な愛玩動物用ベッドを提供することである。
【課題を解決するための手段】
【０００７】
上記課題を達成するために本考案がなした第１の技術的手段は、所定のクション性を有して形成されたマット部と、
前記マット部の外側に一体に周設され、マット部とは境界部を境にして別領域に形成された縁部と、
紐状に形成され、前記縁部内に所定箇所を固定して収容されるとともに、前記縁部所定位置から外方に突出して備えられる複数個の引張り操作部とで構成されており、
前記複数個の引張り操作部は、それぞれ縁部の周方向で異なる位置にて、それぞれ独立して備えられ、その一乃至複数の引張り操作部を引張り操作することにより、所定の縁部のみ若しくは全ての縁部を絞り込んで立ち上げることができることを特徴とする愛玩動物用ベッドとしたことである。
【０００８】
本考案がなした第２の技術的手段は、前記第１の技術的手段において、各引張り操作部は、縁部内に収容される連続した紐部材であって、紐部材の離間した複数の所定領域をそれぞれ折り曲げるとともに、それぞれの折り曲げ領域を、縁部の所定位置に設けた各開口から外部に突出させ、かつ縁部内にて、少なくとも隣り合う開口間に位置する紐部材の所定箇所を、縁部と一体に固定したことを特徴とする。
【０００９】
本考案がなした第３の技術的手段は、前記第１の技術的手段において、各引張り操作部は、それぞれ縁部内に収容される断続した紐部材であって、紐部材の中間領域を折り曲げるとともに、その折り曲げ領域を縁部の所定位置に設けた開口から外部に突出させ、かつ各紐部材のそれぞれの両端部は、前記開口を境にして縁部内を左右に分かれて収容されるとともに、縁部内にてそれぞれの両端部が縁部と一体に固定されていることを特徴とする。
【００１０】
本考案がなした第４の技術的手段は、所定のクション性を有して平面視で矩形状に形成されたマット部と、
前記マット部の外側にて一体に周設された縁部と、
前記マット部と縁部がそれぞれ別領域となるように境界を形成する境界部と、
紐状に形成され、前記縁部内に所定箇所を固定して収容されるとともに、前記縁部所定位置から外方に突出して備えられる複数個の引張り操作部とで構成されており、
前記複数個の引張り操作部は、それぞれ縁部の周方向で異なる位置にて、それぞれ独立して備えられ、
引張り操作部は、縁部内に収容される連続した紐部材であって、紐部材の相対向する所定領域をそれぞれ折り曲げるとともに、それぞれの折り曲げ領域を、縁部の相対向する位置に設けた各開口から外部に突出させ、かつ縁部内にて、少なくとも隣り合う開口間に位置する紐部材の所定箇所を縁部と一体に固定し、
それぞれの引張り操作部を引張り操作することにより、所定の縁部若しくは全ての縁部を絞り込んで前記境界部を境にして立ち上げることができることを特徴とする愛玩動物用ベッドとしたことである。
【００１１】
本考案がなした第５の技術的手段は、前記第１の技術的手段乃至第４の技術的手段のいずれかにおいて、引張り部材は、縁部の開口から突出した紐部材の突出部分にストッパ部を備えたことを特徴とする愛玩動物用ベッドとしたことである。
【考案の効果】
【００１２】
本考案によれば、用途・目的などに応じて、平坦状のベッドとカドラータイプのベッドに簡単に変更可能であるとともに、縁部の一部のみでも絞って立ち上げることが可能な愛玩動物用ベッドを提供することができた。
すなわち、全ての引張り操作部を引張り操作することで、全ての縁部を絞って立ち上げることも可能であるが、所定の引張り操作部のみを引張り操作することにより、所定の縁部のみを絞って立ち上げることができる。これによれば、ベッドを広く使用しつつも、愛玩動物が寄りかかったり、頭をのせたりすることもできる立ち上がり縁部（壁部）を一部に形成することができ、使用勝手に大変優れた愛玩動物用ベッドを提供できる。
【図面の簡単な説明】
【００１３】
【図１】本考案の第一の実施形態で、平坦状のベッド状態を示す平面図である。
【図２】一方の引張り操作部のみを引張り操作することで、所定領域の縁部のみを絞って立ち上げている状態を示す全体斜視図である。
【図３】双方の引張り操作部を引張り操作して、縁部全域を絞って立ち上げることで、いわゆるカドラータイプに変更した状態を示す全体斜視図である。
【図４】図１のＶ−Ｖ線断面図である。
【図５】図１のＡで示す領域を拡大して示す横断平面図である。
【図６】図１のＡで示す領域を拡大して示す縦断側面図である。
【図７】本考案の第二の実施形態で、平坦状のベッド状態を示す平面図である。
【考案を実施するための形態】
【００１４】
本考案による愛玩動物用ベッド（以下、単にベッドともいう。）の一実施形態を図に従って説明する。図１乃至図６は本考案の第一の実施形態、図７は第二の実施形態を示す。
なお、本考案は本実施形態に示す構成に限定して解釈されるものではなく、本考案の範囲内において適宜設計変更可能である。
【実施例１】
【００１５】
「第一の実施形態」
本実施形態による愛玩動物用ベッド１は、図１乃至図６に示すように、マット部２と、該マット部２の周囲に一体に備えられた縁部３と、縁部３内に収容された引張り操作部２０とによって構成されている。
本実施形態では、全体が平面視で矩形状の愛玩動物用ベッド１が想定されている。
【００１６】
本実施形態では、所定の大きさの矩形状の布材や軟質合成樹脂材（後述する外装部）などを縫い合わせて袋状に形成し、その平面視で中央の領域に矩形状のマット部２を形成すると共に、そのマット部２の外側の領域を縁部３として一体に形成している。
マット部２と縁部３との境界は、縫い合わせた際に形成される所定の境界部（ステッチ部）１００によって形成されており、該境界部（ステッチ部）１００がマット部２と縁部３がそれぞれ別個の領域となるように区分けしている（図１乃至図４参照。）。
【００１７】
マット部２は、図１に示すように、所定のクション性を有して平面視で矩形状に形成されている。
マット部２は、布・軟質合成樹脂からなる外装部２ａと、外装部２ａ内に詰められた綿・ウレタン樹脂などのクッション材２ｂとで構成されている（図１，図４参照。）。
なお、マット部２の平面視形状や材質・厚みなどの諸仕様は特に限定されるものではなく、所定のクッション性を有しているものであればよく任意に設計変更可能である。
【００１８】
縁部３は、図１に示すように、前記マット部２の外周にて一体に形成されており、本実施形態では、前記マット部２の側面（四辺）の全周域を囲うように平面視でロの字形状に形成されている。
【００１９】
本実施形態の縁部３は、マット部２の外側に一体に備えられた第１縁部４と、該第１縁部４の外側で、該第１縁部４とは別個の領域となるように区分けされて一体に備えられた第２縁部１０とで構成されている（図１乃至図５参照。）。第１縁部４と第２縁部１０との間も、マット部２と第１縁部４との間と同様に、縫い合わせて形成される境界部（ステッチ部）２００によって区分けされている。
【００２０】
第１縁部４は、前記マット部２と同じく布・軟質合成樹脂からなる外装部４ａと、外装部４ａ内に詰められた綿・ウレタン樹脂などのクッション材４ｂとで構成されている（図１，図４参照。）。また、第１縁部４は、第１の領域５〜第４の領域８の４つの領域からなり、第１の領域５と第２の領域６との間、第２の領域６と第３の領域７との間、第３の領域７と第４の領域８との間、第４の領域８と第１の領域５との間を、それぞれ縫い合わせて４つの独立した領域に区分けされている。符号３００はそれぞれの縫い合わせ部であるステッチ部を示す。
第１縁部４の全体形状平面視形状や材質・厚みなどの諸仕様は特に限定されるものではなく、所定のクッション性を有しているものであればよく任意に設計変更可能である。
【００２１】
第２縁部１０は、前記第１縁部４と同じく布・軟質合成樹脂からなる外装部１０ａによって内部を中空に形成しており、その中空内部１０ｂに引張り操作部２０を構成する紐部材３０が収容されている（図１、図４乃至図６参照。）。
【００２２】
本実施形態では、第２縁部１０における第１の領域１１と第２の領域１２との間（図１中、Ａで示す領域）、及び第３の領域１３と第４の領域１４との間（図１中、Ｂで示す領域）のみ縫い合わせており、第１の領域１１と第４の領域１４との間（図１中、Ｃで示す領域）、そして第２の領域１２と第３の領域１３との間（図１中、Ｄで示す領域）は縫い合わされてはおらずに、それぞれ離間され、かつそれぞれの相対向する端部に開口１１ａ、１２ａ、１３ａ、１４ａが形成されている。
前記それぞれの開口１１ａ、１２ａ、１３ａ、１４ａからは、引張り操作部２０を構成する紐部材３０の一部が突出している。符号３１、３２はそれぞれ突出部を示す。符号４００は、それぞれの縫い合わせ部であるステッチ部を示す。
【００２３】
引張り操作部２０の一実施形態を説明すると、紐状に形成され、前記第２縁部１０の中空内部１０ｂの所定位置に所定箇所を固定して収容されるとともに、前記第２縁部１０の所定の開口１１ａ、１２ａ、１３ａ、１４ａから一部が外方に突出して備えられており、その紐部材の突出部３１、３２を引っ張ったり、緩めたりして操作する。
【００２４】
本実施形態では、一本の連続した紐部材３０を使用している。
まず、第２縁部１０の第１の領域１１〜第４の領域１４の全領域長さよりも長尺とした一本の紐部材３０を、各領域１１〜１４の中空内部１０ｂに挿通する。
具体的には、所定長さの一本の紐部材３０を、第１の領域１１の開口１１ａから中空内部１０ｂに向けて挿通し、第２の領域１２の中空内部１０ｂを通って第２の領域１２の開口１２ａから一旦、外方に突出させる。
そして、第２の領域１２の開口１２ａから所定長さ突出させた状態で折り返し（折り曲げて）、その折り返した端部を、対向する第３の領域１３の開口１３ａから第３の領域１３の中空内部１０ｂへと挿通させ、第４の領域１４の中空内部１０ｂを通って第４の領域１４の開口１４ａから外方に突出させる。この状態で、第４の領域１４の開口１４ａから突出した紐部材３０の一端は、前記第１の領域１１の開口１１ａから突出している紐部材３０の他端と対向する（図１参照。）。
そして、前記突出している両端３０ａ、３０ｂを所定の方法で固定（締結など）することで、紐部材３０は図示の如く無端状に形成される。
【００２５】
従って、紐部材３０は、相対向する領域、すなわち、図１に示すように平面視で相対向している前記Ｃの領域とＤの領域にて、それぞれ折れ曲がった突出部（折り曲げ領域）３１、３２が位置するように配される（図１参照。）。
なお、本実施形態では、図１乃至図３に示すように、前記それぞれの突出部３１、３２にそれぞれ所定のストッパ部４０を取り付けている。
【００２６】
次に、第１の領域１１と第２の領域１２との間（前記Ａの領域）、及び第３の領域１３と第４の領域１４との間（前記Ｂの領域）のみ縫い合わせる。このとき、各領域１１〜１４の中空内部１０ｂを挿通する紐部材３０は、第１の領域１１と第２の領域１２との間（前記Ａの領域）、及び第３の領域１３と第４の領域１４との間（前記Ｂの領域）をそれぞれ縫い合わせる時に、第２縁部１０に一体に縫い合わされる。
すなわち、紐部材３０は、第２縁部１０における中空内部１０ｂで、第１の領域１１と第２の領域１２との間（前記Ａの領域）で第２縁部１０に一体に固定されるとともに、第３の領域１３と第４の領域１４との間（前記Ｂの領域）でも第２縁部１０に一体に固定されて収容されることとなる（図１、図５、図６参照。）。
【００２７】
ストッパ部４０は、内部に紐部材３０を挿通し、内部に挿通した紐部材３０の任意の箇所を係止して停止させたり、その係止状態を解除させたりすることのできる周知のものが一例として挙げられる。
なお、本考案では、特にストッパ部４０が必須の構成要素ではなく、ストッパ部４０を備えないものであっても本考案の範囲内である。すなわち、絞った後の紐部材を縛る構成であってもよい。また、本考案に用いられるストッパ部４０は、特に限定解釈されるものではなく、一般的な構造のものが本考案の範囲内で適宜設計変更可能である。また、一つの引張り操作部に対するストッパ部の配設個数は、単数個であっても複数個であってもよく、さらに、複数個配設する場合、同一構造のものを複数個配設しても、異なる構造のものを複数個配設してもよく、実施の形態に応じて本考案の範囲内で適宜設計変更可能であり限定解釈はされない。
【００２８】
従って、本実施形態の引張り操作部２０は、それぞれ第２縁部１０の周方向で異なる位置、すなわち、第１の領域１１と第４の領域１４に対して１つ（ここでは、第１の引張り操作部２１と称する。）と、第２の領域１２と第３の領域１３に対して１つ（ここでは、第２の引張り操作部２２と称する。）が、それぞれ独立して備えられていることとなる。言い換えると次のとおりである。
【００２９】
第１の引張り操作部２１は、第１の領域１１の開口１１ａと第４の領域１４の開口１４ａから突出する紐部材３０の突出部３１と、突出部３１に備えられるストッパ部４０と、その突出部３１と連続して第１の領域１１の中空内部１０ｂ・第４の領域１４の中空内部１０ｂにそれぞれ挿通される紐部材３０の左右の挿通部分３３、３４とで構成され、第１の領域１１の中空内部１０ｂに挿通された挿通部分３３の端部３３ａが、第１の領域１１と第２の領域１２との境界部、すなわち、図１中のＡの領域で第２縁部１０と一体に固定され、第４の領域１４の中空内部１０ｂに挿通された挿通部分３４の端部３４ａが、第３の領域１３と第４の領域１４との境界部、すなわち、図１中のＢの領域で第２縁部１０と一体に固定される。
【００３０】
また、第２の引張り操作部２２は、第２の領域１２の開口１２ａと第３の領域１３の開口１３ａから突出する紐部材３０の突出部３２と、突出部３２に備えられるストッパ部４０と、その突出部３２と連続して第２の領域１２の中空内部１０ｂ・第３の領域１３の中空内部１０ｂにそれぞれ挿通される紐部材３０の左右の挿通部分３５、３６とで構成され、第２の領域１２の中空内部１０ｂに挿通された挿通部分３５の端部３５ａが、第１の領域１１と第２の領域１２との境界部、すなわち、図１中のＡの領域で第２縁部１０と一体に固定され、第３の領域１３の中空内部１０ｂに挿通された挿通部分３６の端部３６ａが、第３の領域１３と第４の領域１４との境界部、すなわち、図１中のＢの領域で第２縁部１０と一体に固定される。
【００３１】
従って、上述のように構成されることにより、本実施形態の愛玩動物用ベッド１は次のように操作して使用可能である。
【００３２】
縁部３全域を絞り込んでベッド１のマット部２全周域に壁状部分を形成した、いわゆるカドラータイプとする場合を、まず説明する。
【００３３】
図１中でＣの領域にある第１の引張り操作部２１の突出部３１に備えられているストッパ部４０を緩めて紐部材３０を引っ張ると、挿通部分３３、３４のそれぞれの端部３３ａ、３４ａが図１中のＡの領域とＢの領域にて第２縁部１０と一体に固定されているため、第２縁部１０の第１の領域１１と第４の領域１４が襞状に縮んで絞り込まれる。このように絞り込まれることにより、縁部３がマット部２との境界のステッチ部１００を境にして立ち上がり、いわゆる壁部分を形成することとなる（図２参照。）。
そして、同じく、図１中でＤの領域にある第２の引張り操作部２２の突出部３２に備えられているストッパ部４０を緩めて紐部材３０を引っ張ると、挿通部分３５、３６のそれぞれの端部３５ａ、３６ａが図１中のＡの領域とＢの領域にて第２縁部１０と一体に固定されているため、第２縁部１０の第２の領域１２と第３の領域１３が襞状に縮んで絞り込まれる。
このように絞り込まれることにより、縁部３全体がマット部２との境界のステッチ部１００を境にして立ち上がり、いわゆるマット部２の全周域に立ち上がった壁部分を形成することとなる（図３参照。）。
なお、上述の説明では、第１の引張り操作部２１と第２の引張り操作部２２を別々に操作した場合を説明したが、上記第１の引張り操作部２１と第２の引張り操作部２２は同時に操作することを妨げるものではないことは当然である。
【００３４】
本考案によれば、それぞれの引張り操作部（本実施形態では、第１の引張り操作部２１と第２の引張り操作部２２）を引張り操作することにより、所定の縁部若しくは全ての縁部を絞り込んで立ち上げることができるという点に特徴的な技術思想を有しているものである。
すなわち、使用状況によっては、平坦状のままで使用することもでき、さらに、縁部全域を立ち上げて、図３に示すような、いわゆる一般的なカドラータイプのベッドとして使用することもできるが、本考案では、図２に示すように、所定の縁部のみを立ち上げて使用することも可能であり、この点が新規有用な構造である。
特に、多少大きな犬などの場合、カドラータイプのベッドを使用したくても、カドラータイプでは窮屈な場合もある。そこで、所定の引張り操作部（例えば、第１の引張り操作部２１）のみを操作して縁部３の一部だけを絞って立ち上げることとすれば、一部は開放状態としたまま（縁部３を立ち上げずに平坦状としたまま）でも、立ち上げた一部の縁部３に身体の一部だけでも寄りかかれたりするため、ベッドを広くしながらも犬に安心感を与えてリラックスさせることができる。
【００３５】
また、各引張り操作部２０（２１、２２）は、それぞれ第２縁部１０の中空内部１０ｂに収容される断続した紐部材を使用する場合も本考案の範囲内である。
図示はしないが、例えば、前記第１の引張り操作部２１の紐部材と、第２の引張り操作部２２の紐部材をそれぞれ別個のものとする。
そして、第１の引張り操作部の紐部材のそれぞれの端部は、第１の領域と第２の領域との間、第４の領域と第３の領域との間で、それぞれ縁部と一体に固定する（縫い合わせる）。作用効果は、一本の紐部材を使用した前記実施形態と同じである。
【００３６】
「第二の実施形態」
図７は、本考案の第二の実施形態であって、本実施形態では、平面視で八角形状の愛玩動物用ベッド１が想定されている。
本実施形態では、各引張り操作部は、第２縁部１０の第１の領域７０〜第８の領域７７のそれぞれの中空内部１０ｂに収容される連続した紐部材５０であって、紐部材５０の離間した複数の所定領域をそれぞれ折り曲げるとともに、それぞれの折り曲げ領域（突出部分）５１，５２，５３，５４を、第２縁部１０の所定位置に設けた各開口７０ａ〜７７ａから外部に突出させ、かつ第２縁部１０の中空内部１０ｂにて、少なくとも隣り合う開口間に位置する紐部材５０の所定箇所を、第２縁部１０と一体に固定して構成している。
【００３７】
具体的に説明すると、本実施形態における第２縁部１０は、第１の領域７０と第８の領域７７とが対向する領域Ｅ、第２の領域７１と第３の領域７２とが対向する領域Ｆ、第４の領域７３と第５の領域７４とが対向する領域Ｇ、第６の領域７５と第７の領域７６とが対向する領域Ｈは、それぞれ離間するとともに、それぞれの領域の相対向する端部は開口している。
【００３８】
まず、第１の領域７０の開口７０ａから長尺の一本の紐部材５０を挿通し、第２の領域７１の中空内部１０ｂを通って第２の領域７１の開口７１ａから一旦、外方に突出させる。
そして、第２の領域７１の開口７１ａから所定長さ突出させた状態で折り返し（折り曲げて）、その折り返した端部を、対向する第３の領域７２の開口７２ａから第３の領域７２の中空内部１０ｂへと挿通させ、第４の領域７３の中空内部１０ｂを通って第４の領域７３の開口７３ａから一旦、外方に突出させる。
そして、第４の領域７３の開口７３ａから所定長さ突出させた状態で折り返し（折り曲げて）、その折り返した端部を、対向する第５の領域７４の開口７４ａから第５の領域７４の中空内部１０ｂへと挿通させ、第６の領域７５の中空内部１０ｂを通って第６の領域７５の開口７５ａから一旦、外方に突出させる。
そして、第６の領域７５の開口７５ａから所定長さ突出させた状態で折り返し（折り曲げて）、その折り返した端部を、対向する第７の領域７６の開口７６ａから第７の領域７６の中空内部１０ｂへと挿通させ、第８の領域７７の中空内部１０ｂを通って第８の領域７７の開口７７ａから外方に突出させる。
この状態で、第８の領域７７の開口７７ａから突出した紐部材５０の一端５０ａは、前記第１の領域７０の開口７０ａから突出している紐部材５０の他端５０ｂと対向する（図７参照。）。
そして、前記突出している両端５０ａ、５０ｂを所定の方法で固定（締結など）することで、紐部材５０は図示の如く無端状に形成される。
【００３９】
次に、第１の領域７０と第２の領域７１との間（図７中、符号Ｉで示す領域）、第３の領域７２と第４の領域７３との間（図７中、符号Ｊで示す領域）、第５の領域７４と第６の領域７５との間（図７中、符号Ｋで示す領域）、及び第７の領域７６と第８の領域７７との間（図７中、符号Ｌで示す領域）を縫い合わせる。このとき、各領域７０〜７８の中空内部１０ｂを挿通する紐部材５０は、前記領域Ｉ、領域Ｊ、領域Ｋ、領域Ｌをそれぞれ縫い合わせる時に、第２縁部１０に一体に縫い合わされて固定されて収容されることとなる（図７参照。）。
【００４０】
よって、本実施形態では、図示したとおり、第１の領域７０と第８の領域７７との間にある第１の引張り操作部６０と、第２の領域７１と第３の領域７３との間にある第２の引張り操作部６１と、第４の領域７４と第５の領域７５との間にある第３の引張り操作部６２と、第６の領域７６と第７の領域７７との間にある第４の引張り操作部６３を有することとなる。
【００４１】
従って、第１の引張り操作部６０の紐部材５０の突出部分（折り曲げ領域）５１、５２、５３、５４を引っ張って第１の領域７０と第８の領域７７を絞ると、領域Ｉと領域Ｌにて紐部分５０はそれぞれ第２縁部１０と一体に固定されている（ステッチ部４００）ため、縁部３は襞状に絞り込まれてステッチ部１００を境にして壁状に立ち上げられる。
この操作を第１の引張り操作部６０〜第４の引張り操作部６３の任意の操作部を操作することで、所定の縁部領域を立ち上げることができる。
【００４２】
その他の構成及び作用効果については、第一の実施形態の説明を援用し、ここでの重複した説明は省略する。
【００４３】
なお、上述した各実施形態では、上述したとおり、平面視で矩形状・八角形状のベッドをもって説明したが、本考案は何等これに限定解釈されるものではなく、例えば平面視で三角形状・五角形などの他の多角形状、あるいは平面視で円形状などの種々の形態のベッドも想定され、本考案の範囲内である。
【００４４】
紐部材の形状も断面視で円形状の紐部材に限定解釈されるものではなく、断面視矩形状などの一般的な紐形状は全て範囲内である。材質も特に限定解釈されるものではなく、非伸縮性であっても伸縮性であってもよく本考案の範囲内で設計変更可能である。
【符号の説明】
【００４５】
１  ベッド
２  マット部
３  縁部
１００、２００、３００、４００  境界部（ステッチ部）
２０（２１、２２、６０、６１、６２、６３）  引張り操作部
３０、５０  紐部材
【図１】
0003176517.tif 000003
【図２】
0003176517.tif 000004
【図３】
0003176517.tif 000005
【図４】
0003176517.tif 000006
【図５】
0003176517.tif 000007
【図６】
0003176517.tif 000008
【図７】
0003176517.tif 000009